(57)【要約】    【課題】  カラーで読み取られた原稿情報を、デジタルカメラなどで撮影された画像情報と同様の情報として処理することができるファクシミリ装置を提供する。    【解決手段】  ＣＰＵ２２は、送信モードとして、フルカラーで読み取られた原稿情報を色空間ｓＹＣＣのＪＰＥＧ符号化された情報として送信するデジタルスチルカメラ互換通信における画素数およびＪＰＥＧ圧縮率を設定し、デジタルスチルカメラ互換通信が選択されているとき、設定された画素数およびＪＰＥＧ圧縮率を用いてフルカラーで読み取られた原稿情報を色空間ｓＹＣＣのＪＰＥＧ符号化された情報に変換して送信するように制御する。【選択図】      図１
2005198175.tif 000002
【特許請求の範囲】
【請求項１】
カラー情報を送信可能なファクシミリ装置であって、
送信モードとして、カラーで読み取られた原稿情報を所定色空間の所定形式で符号化された情報として送信する特定送信モードを選択する送信モード選択手段と、
前記特定送信モードにおける画素数および圧縮率を設定する画素数／圧縮率設定手段と、
前記特定送信モードが選択されているとき、前記設定された画素数および圧縮率を用いて前記カラーで読み取られた原稿情報を所定色空間の所定形式で符号化された情報に変換して送信するように制御する制御手段と
を有することを特徴とするファクシミリ装置。
【請求項２】
前記画素数／圧縮率設定手段は、ユーザの入力操作に応じて、画素数と圧縮率とをそれぞれ独立に設定することを特徴とする請求項１記載のファクシミリ装置。
【請求項３】
ユーザの入力操作に応じて、複数の原稿読取モードの中から所望の原稿読取モードを選択する読取モード選択手段と、
前記複数の原稿読取モードにそれぞれ対応付けて画素数および圧縮率を登録する登録手段とを有し、
前記画素数／圧縮率設定手段は、前記選択された読取モードに対応付けて登録されている画素数および圧縮率を前記特定送信モードにおける画素数および圧縮率として設定することを特徴とする請求項１記載のファクシミリ装置。
【請求項４】
前記特定送信モードが選択されているときに、前記設定された画素数および圧縮率に基づいて通信時間が長くなると判断した場合は、その旨をユーザに通知する通知手段を有し、
前記制御手段は、前記通知に応答したユーザの入力操作の有無に応じて、前記特定送信モードの実行の有無を制御することを特徴する請求項１記載のファクシミリ装置。
【請求項５】
カラー情報を送信するためのファクシミリ通信方法であって、
送信モードとして、カラーで読み取られた原稿情報を所定色空間の所定形式により符号化された情報として送信する特定送信モードを選択する送信モード選択工程と、
前記特定送信モードにおける画素数および圧縮率を設定する画素数／圧縮率設定工程と、
前記特定送信モードが選択されているとき、前記設定された画素数および圧縮率を用いて前記カラーで読み取られた原稿情報を所定色空間の所定形式で符号化された情報に変換して送信するように制御する制御工程と
を有することを特徴とするファクシミリ通信方法。
【請求項６】
前記画素数／圧縮率設定工程では、ユーザの入力操作に応じて、画素数と圧縮率とをそれぞれ独立に設定することを特徴とする請求項５記載のファクシミリ通信方法。
【請求項７】
ユーザの入力操作に応じて、複数の原稿読取モードの中から所望の原稿読取モードを選択する読取モード選択工程と、
前記複数の原稿読取モードにそれぞれ対応付けて画素数および圧縮率を登録する登録工程とを有し、
前記画素数／圧縮率設定工程では、前記選択された読取モードに対応付けて登録されている画素数および圧縮率を前記特定送信モードにおける画素数および圧縮率として設定することを特徴とする請求項５記載のファクシミリ通信方法。
【請求項８】
前記特定送信モードが選択されているときに、前記設定された画素数および圧縮率に基づいて通信時間が長くなると判断した場合は、その旨をユーザに通知する通知工程を有し、
前記制御工程では、前記通知に応答したユーザの入力操作の有無に応じて、前記特定送信モードの実行の有無を制御することを特徴する請求項５記載のファクシミリ通信方法。
【請求項９】
カラー情報を送信可能なファクシミリ装置を制御するためのプログラムであって、
送信モードとして、カラーで読み取られた原稿情報を所定色空間の所定形式により符号化された情報として送信する特定送信モードを選択する送信モード選択モジュールと、
前記特定送信モードにおける画素数および圧縮率を設定する画素数／圧縮率設定モジュールと、
前記特定送信モードが選択されているとき、前記設定された画素数および圧縮率を用いて前記カラーで読み取られた原稿情報を所定色空間の所定形式で符号化された情報に変換して送信するように制御する制御モジュールと
を有することを特徴とするプログラム。
【発明の詳細な説明】
【技術分野】
【０００１】
本発明は、カラー情報を送信可能なファクシミリ装置、ファクシミリ通信方法およびプログラムに関する。
【背景技術】
【０００２】
従来、カラー情報を通信可能なファクシミリ装置は、ＩＴＵ−Ｔ勧告Ｔ．３０、Ｔ．４、Ｔ．８１、Ｔ．４２により規定されている色空間Ｌａｂでのカラーファクシミリ通信を行うものである（例えば特許文献１を参照）。
【０００３】
近年、デジタルカメラが普及し、デジタルカメラで撮影した情報をそのままファクシミリプロトコルを使用して送信したいというニーズが高まりつつある。ここで、デジタルカメラで使用されている色空間は、Ｌａｂでなく、ｓＹＣＣである。そこで、上記ニーズに対応するために、色空間ｓＹＣＣでＪＰＥＧにより符号化された情報をそのまま送信するプロトコルがＩＴＵ−Ｔにより規定されて標準化された。そして、このような色空間ｓＹＣＣでＪＰＥＧにより符号化された情報を送受信可能なカラーファクシミリ通信方式が提案されている（例えば特許文献２を参照）。
【０００４】
上述のカラーファクシミリ通信方式を用いたシステム構成について図１５を参照しながら説明する。図１５は従来のカラーファクシミリ通信方式を用いたシステム構成を示すブロック図である。
【０００５】
カラーファクシミリ通信方式を用いたシステムは、図１５に示すように、送信機側のファクシミリ装置１００と、ファクシミリ装置１００と電話回線を介して接続される受信機側のファクシミリ装置２００とから構成される。ファクシミリ装置１００は、原稿をカラー読取可能なスキャナ１０２と、カードインターフェース（カードＩ／Ｆ）１０４とを有する。カードＩ／Ｆ１０４には、デジタルスチルカメラ１２０などの記録媒体として用いられるコンパクトフラッシュ（登録商標）カード（ＣＦカード）１０６が装着され、カードＩ／Ｆ１０４は、ＣＦカード１０６に対して情報の読み出しまたは書き込みを可能にする。
【０００６】
ファクシミリ装置２００は、プリンタ２０８と、カードインターフェース（カードＩ／Ｆ）２０４とを有する。カードＩ／Ｆ２０４には、デジタルスチルカメラ２２０などの記録媒体として用いられるコンパクトフラッシュ（登録商標）カード（ＣＦカード）２０６が装着され、カードＩ／Ｆ２０４は、ＣＦカード２０６に対して情報の読み出しまたは書き込みを可能にする。
【０００７】
ここで、送信機側のファクシミリ装置１００は、カラー原稿情報の送信またはカードＩ／Ｆ１０４に装着されたＣＦカード１０４に格納された情報（デジタルスチルカメラ１２０により撮影された情報）の送信が可能である。受信機側のファクシミリ装置２００は、受信したカラー情報のプリントまたはカードＩ／Ｆ２０４に装着されているＣＦカード２０６への書き込みが可能である。すなわち、送信機側においては、デジタルスチルカメラ１２０で撮影された情報が格納されているＣＦカード１０６をカードＩ／Ｆ１０４に装着すれば、デジタルスチルカメラ１２０で撮影された情報をファクシミリ通信により相手先に送ることができる。また、受信機側においては、受信したカラー情報すなわちデジタルスチルカメラで撮影された情報をプリント出力することができ、また受信したカラー情報をカードＩ／Ｆ２０４に装着されているＣＦカード２０６へ書き込み、保存することができる。
【特許文献１】特開平０６−１２５４７０号公報
【特許文献２】特開２００３−３７７４１号公報
【発明の開示】
【発明が解決しようとする課題】
【０００８】
しかしながら、従来のファクシミリ装置では、カラーで読み取られた原稿情報を、デジタルスチルカメラで撮影された情報と同様の情報として送信することができない。すなわち、読み取られた原稿情報を、デジタルスチルカメラで撮影された情報と同様に処理することができない。
【０００９】
本発明の目的は、カラーで読み取られた原稿情報を、デジタルカメラなどで撮影された画像情報と同様の情報として処理することができるファクシミリ装置、ファクシミリ通信方法およびプログラムを提供することにある。
【課題を解決するための手段】
【００１０】
本発明は、上記目的を達成するため、カラー情報を送信可能なファクシミリ装置であって、送信モードとして、カラーで読み取られた原稿情報を所定色空間の所定形式で符号化された情報として送信する特定送信モードを選択する送信モード選択手段と、前記特定送信モードにおける画素数および圧縮率を設定する画素数／圧縮率設定手段と、前記特定送信モードが選択されているとき、前記設定された画素数および圧縮率を用いて前記カラーで読み取られた原稿情報を所定色空間の所定形式で符号化された情報に変換して送信するように制御する制御手段とを有することを特徴とする。
【００１１】
本発明は、上記目的を達成するため、カラー情報を送信するためのファクシミリ通信方法であって、送信モードとして、カラーで読み取られた原稿情報を所定色空間の所定形式により符号化された情報として送信する特定送信モードを選択する送信モード選択工程と、前記特定送信モードにおける画素数および圧縮率を設定する画素数／圧縮率設定工程と、前記特定送信モードが選択されているとき、前記設定された画素数および圧縮率を用いて前記カラーで読み取られた原稿情報を所定色空間の所定形式で符号化された情報に変換して送信するように制御する制御工程とを有することを特徴とする。
【００１２】
本発明は、上記目的を達成するため、カラー情報を送信可能なファクシミリ装置を制御するためのプログラムであって、送信モードとして、カラーで読み取られた原稿情報を所定色空間の所定形式により符号化された情報として送信する特定送信モードを選択する送信モード選択モジュールと、前記特定送信モードにおける画素数および圧縮率を設定する画素数／圧縮率設定モジュールと、前記特定送信モードが選択されているとき、前記設定された画素数および圧縮率を用いて前記カラーで読み取られた原稿情報を所定色空間の所定形式で符号化された情報に変換して送信するように制御する制御モジュールとを有することを特徴とする。
【発明の効果】
【００１３】
本発明によれば、特定送信モードが選択されているとき、設定された画素数および圧縮率を用いてカラーで読み取られた原稿情報を所定色空間の所定形式で符号化された情報に変換して送信するので、カラーで読み取られた原稿情報を、デジタルカメラなどで撮影された画像情報と同様の情報として処理することができる。
【発明を実施するための最良の形態】
【００１４】
以下、本発明の実施の形態について図面を参照しながら説明する。
【００１５】
（第１の実施の形態）
図１は本発明の第１の実施の形態に係るファクシミリ装置の構成を示すブロック図、図２は図１のファクシミリ装置の操作部２０の外観構成を模式的に示す図である。
【００１６】
ファクシミリ装置は、図１に示すように、電話回線２ａに接続されている網制御装置（以下、ＮＣＵという）２を備える。ＮＣＵ２は、電話網をデータ通信などに使用するための回線端末へ接続するなどの電話交換網の接続制御、データ通信路への切換えを行い、電話回線２ａと電話機４との接続（ＣＭＬオフ）、および電話回線２ａとハイブリッド回路６との接続（ＣＭＬオン）を選択的に切り換える。ＮＣＵ２と電話機４とは信号線２ｂで接続され、ＮＣＵ２とハイブリッド回路６とは信号線２ｃで接続されている。ＮＣＵ２の切換動作は、バス２６を介してＣＰＵ２２により制御される。
【００１７】
ハイブリッド回路６は、電話回線２ａを介して送信される送信系からの送信信号と、電話回線２ａを介して受信される受信系への受信信号とを分離する。
【００１８】
送信系は、ＣＣＤ（電荷結合素子）などの撮像素子と光学系から構成される読取回路１４と、発呼回路１０とを有する。読取回路１４は、送信する原稿をカラー読取可能であり、この読取回路１４により読み取られた画像データは、バス２６に出力される。このバス２６に出力された画像データは、必要に応じて、そのまま、または符号化された後にメモリ（ＲＡＭ）１８に格納される。発呼回路１０は、バス２６から電話番号情報を入力し、ＤＴＭＦの選択信号を信号線１０ａに出力する。
【００１９】
メモリ１８内の符号化されたデータ（読み取り画像データ）は、バス１６を介して変復調器８に出力される。変復調器８は、バス２６からの符号化されたデータに対し変調処理を施し、変調信号を生成するとともに、ハイブリッド回路６から信号線６ａを介して取り込まれた受信信号に対し復調処理を施し、復調データを生成する。この変調処理および復調処理は、ＩＴＵ−Ｔ勧告Ｖ．８，Ｖ．２１，Ｖ．２７ter，Ｖ．２９，Ｖ．１７，Ｖ．３４に基づいて行われる。変復調器８による伝送モードは、ＣＰＵ２２によって決定される。
【００２０】
変復調器８で生成された変調信号は、信号線８ａを介して加算回路１２に与えられる。加算回路１２は、変復調器８からの変調信号と発呼回路１０からの信号とを加算し、その加算された信号はハイブリッド回路６に信号線１２ａを介して出力される。ハイブリッド回路６は、上記加算された信号を送信信号としてＮＣＵ２経由で電話回線２ａに送出する。
【００２１】
これに対し、受信系では、相手装置からＮＣＵ２経由で受信した信号がハイブリッド回路６から信号線６ａを介して変復調器８に出力される。変復調器８は、上述したように、信号線６ａを介して取り込まれた受信号に対し復調処理を施し、復調データを生成する。変復調器８で生成された復調データは、バス２６を介してＣＰＵ２２に与えられる。ＣＰＵ２２は、復調データに対し復号化などの処理を施し、復号化されたデータはバス２６を介して記録回路１６に与えられる。また、復号化されたデータは、必要に応じて、メモリ１８に格納される。
【００２２】
記録回路１６は、カラー記録可能なプリンタからなり、バス２６に出力されたデータ（画像データ）を順次１ライン毎に記録紙に記録する。
【００２３】
メモリ１８は、上述したように、読取回路１４で読み取られたデータ、それの符号化されたデータ、受信したデータ、それの復号化されたデータを格納するとともに、ＣＰＵ２２の作業領域として使用される。
【００２４】
バス２６には、操作部２０およびカードインターフェース２８が接続されている。操作部２０には、図２に示すように、ワンタッチダイヤル、短縮ダイヤル、テンキー、＊キー、＃キー、スタートキー、ストップキー、セットキー、カラー送信選択キーなどを含むキー群２０１、コピー、ＦＡＸ、プリントのモードを選択するためのモード選択キー２０２、デジタルスチルカメラ互換通信（特定送信モード）を選択するためのキー２０３、読取モード選択キー２０４、原稿の読取を２値、ハーフトーンまたはそれらの組み合わせで行うことを選択する読取原稿選択キー２０５、画素数選択キー２０６などが設けられている。ここで、読取モード選択キー２０４は、標準モード、ファインモード、スーパーファインモードの各読取モードの中から、所望の読取モードを選択するためのキーであり、各読取モードには、ＪＰＥＧ圧縮率が対応付けられている。ここでは、標準モード、ファイモード、スーパーファインモードの順にＪＰＥＧ圧縮率が低くなるように対応付けられている。画素数選択キー２０６は、１００万画素、２００万画素、３００万画素、４００万画素の中から所望の画素数を選択するためのキーである。これらのキーが押下されると、その押下されたキー情報がバス２６に出力される。各キー２０２〜２０６による選択状況は、各キー２０２〜２０６に対応付けて設けられているインジケータとしてのＬＥＤ（図中の白丸で示す）により表される。
【００２５】
また、操作部２０には、表示部２０７が設けられており、表示部２０７には、バス２６に出力されている情報が入力されて表示される。
【００２６】
カードインターフェース２８は、カード３０（例えば、デジタルカメラで撮影された画像データが記憶されているコンパクトフラッシュ（登録商標）カード）を装着するためのインターフェースであり、これに装着されたカード３０から画像データの読み出しまたは書き込みを行うことが可能である。
【００２７】
ＣＰＵ２２は、ＲＯＭ２４に格納されている制御プログラムに基づいてファクシミリ装置全体の制御を行うとともに、ファクシミリ伝送制御手順を実行する。例えば、ＲＯＭ２４には、送信モードとして、カラーで読み取られた原稿情報を色空間ｓＹＣＣのＪＰＥＧ符号化された情報として送信するデジタルスチルカメラ互換通信が選択されているとき、設定された画素数および圧縮率を用いて上記読み取られた原稿を色空間ｓＹＣＣのＪＰＥＧ符号化された情報に変換して送信するように制御するための制御プログラムが格納されている。
【００２８】
次に、本実施の形態のカラー画像通信手順に用いられる主要信号について図３を参照しながら説明する。図３は図１のファクシミリ装置のカラー画像通信手順に用いられる主要信号を示すテーブルである。
【００２９】
本実施の形態においては、ファクシミリ装置のカラー画像通信手順に用いられる主要信号として、新規にＩＴＵ−Ｔ勧告Ｔ．３０に追加された信号が用いられる。
【００３０】
具体的には、図３に示すように、ＤＩＳ／ＤＴＣ信号のＦＩＦの６８ビットにより、色空間ＬａｂでＪＰＥＧ符号化された情報に対する受信機能の有無が通知される。また、ＤＣＳ信号のＦＩＦの６８ビットにより、色空間ＬａｂでＪＰＥＧ符号化された情報の送信が指定される。
【００３１】
また、ＤＩＳ／ＤＴＣ信号のＦＩＦの６９ビットにより、色空間がＬａｂであるフルカラー受信機能の有無が通知され、ＤＣＳ信号のＦＩＦの６９ビットにより、色空間がＬａｂであるフルカラー送信が指定される。
【００３２】
また、ＤＩＳ／ＤＴＣ信号のＦＩＦのＸビットにより、色空間ｓＹＣＣでのＪＰＥＧ符号化された情報に対する受信機能の有無が通知され、ＤＣＳ信号のＦＩＦのＸビットにより、色空間ｓＹＣＣでのＪＰＥＧ符号化された情報の送信が指定される。
【００３３】
次に、本実施の形態におけるファクシミリ通信について図４〜図１１を参照しながら説明する。図４〜図１１は図１のファクシミリ装置のファクシミリ通信の手順を示すフローチャートである。ここで、図４〜図１１のフローチャートに示す手順は、ＣＰＵ２２により実行される。
【００３４】
ＣＰＵ２２は、図４に示すように、まずステップＳ２において、バス２６を介して、メモリ１８をイニシャライズし、続くステップＳ４で、バス２６を介して、操作部２０の表示部をクリアする。そして、ＣＰＵ２２は、バス２６を介してＮＣＵ２のＣＭＬをオフする。
【００３５】
次いで、ＣＰＵ２２は、ステップＳ８において、操作部２０の入力に基づいて、ファクシミリ送信が選択されたか否かを判定し、ファクシミリ送信が選択されていない場合、ステップＳ１０において、その他の処理を実行する。そして、ＣＰＵ２２は、処理をステップＳ６に戻す。これに対し、ファクシミリ送信が選択されている場合、ＣＰＵ２２は、ステップＳ１２において、操作部２０の入力に基づいて、ファイル情報の送信が選択されたか否かを判定し、ファイル情報の送信が選択されていない場合、ステップＳ１４において、デジタルカメラ互換送信が選択されたか否かを判定する。
【００３６】
ここで、デジタルカメラ互換送信が選択されている場合、ＣＰＵ２２は、メモリ送信を設定し、そして図５に示すステップＳ１５において、操作部２０の入力に基づいて、選択されている画素数を入力する。ここでは、画素数選択キーにより、１００万画素、２００万画素、３００万画素、４００万画素の中から選択された画素数が入力される。そして、ＣＰＵ２２は、ステップＳ１６において、操作部２０の入力に基づいて、選択されているＪＰＥＧ圧縮率を変える読み取りモードを入力する。ここでは、読取モード選択キーにより、標準モード、ファインモード、スーパーファインモードの中から選択されたモードが入力される。
【００３７】
次いで、ＣＰＵ２２は、ステップＳ１７において、メモリ１８に格納されている情報（読取回路１４により読み取られた情報）を色空間ｓＹＣＣのＪＰＥＧフルカラー情報として、選択された画素数、ＪＰＥＧ圧縮率で量子化して、メモリ１８に格納する。このように、ステップＳ１５〜ステップＳ１７により、デジタルカメラ撮影された情報をファクシミリ通信により送信する場合と同様に、読取回路１４により読み取られた情報を色空間ｓＹＣＣのＪＰＥＧフルカラー情報として送信することが可能になる。
【００３８】
次いで、ＣＰＵ２２は、図６に示すステップＳ１８において、バス２６を介してＮＣＵ２のＣＭＬをオンし、続くステップＳ２０で、発呼回路１０を用いて指定された宛先へ発呼する。そして、ＣＰＵ２２は、ステップＳ２２において、前手順を実行し、続くステップＳ２４において、ＤＩＳ信号のＦＩＦのＸビットが１であるか否かを判定する。ここで、ＤＩＳ信号のＦＩＦのＸビットが１でないと、ＣＰＵ２２は、相手側に色空間ｓＹＣＣでのＪＰＥＧ符号化された情報に対する受信機能がないと判断し、ステップＳ２６において、操作部２０の表示部に「デジタルスチルカメラ互換送信はできませんでした」と表示する。この表示は、この表示後における何らかのキー操作で消去される。そして、ＣＰＵ２２は、処理をステップＳ６に戻す。
【００３９】
これに対し、ＤＩＳ信号のＦＩＦのＸビットが１であると、ＣＰＵ２２は、相手側に色空間ｓＹＣＣでのＪＰＥＧ符号化された情報に対する受信機能があると判断し、ステップＳ２８において、残りの前手順を実行する。ここでは、ＤＣＳ信号のＦＩＦのＸビットが１にされる。そして、ＣＰＵ２２は、ステップＳ３０において、メモリ１８に格納されている色空間ｓＹＣＣでＪＰＥＧ符号化されたフルカラー情報を送信する。ここでは、ＤＮＬマーカが使用されず、ライン数がＪＰＥＧヘッダのＹパラメータで通知される。次いで、ＣＰＵ２２は、ステップＳ３２において、後手順を実行し、そして、処理をステップＳ６に戻す。
【００４０】
上記ステップＳ１４においてデジタルカメラ互換送信が選択されていないと判定された場合、ＣＰＵ２２は、ダイレクト送信を設定し、図７に示すステップＳ３４において、バス２６を介してＮＣＵ２のＣＭＬをオンする。次いで、ＣＰＵ２２は、ステップＳ３６において、バス２６を介して、発呼回路１０を用いて指定された宛先へ発呼し、続くステップＳ３８において、前手順を実行する。
【００４１】
次いで、ＣＰＵ２２は、ステップＳ４０において、カラー送信が選択されているか否かを判定する。ここで、カラー送信が選択されている場合、ＣＰＵ２２は、ステップＳ４２において、ＤＩＳ信号のＦＩＦの６８，６９ビットがいずれも１であるか否かを判定する。ＤＩＳ信号のＦＩＦの６８，６９ビットがいずれも１である場合、ＣＰＵ２２は、相手側に色空間ＬａｂでＪＰＥＧ符号化された情報に対する受信機能および色空間がＬａｂであるフルカラー受信機能があると判断し、ステップＳ４４において、残りの前手順を実行する。ここでは、ＤＣＳ信号のＦＩＦの６８，６９ビットは１にされる。次いで、ＣＰＵ２２は、ステップＳ４６において、原稿情報をカラーで読み取り、その情報を色空間ＬａｂでＪＰＥＧ符号化してダイレクト送信する。ここで、ＪＰＥＧヘッダのＹパラメータには０がセットされ、ＤＮＬマーカが使用されてライン数が通知される。そして、ＣＰＵ２２は、ステップＳ４８において、後手順を実行し、そして、処理をステップＳ６に戻す。
【００４２】
上記ステップＳ４２においてＤＩＳ信号のＦＩＦの６８，６９ビットがいずれも１でないと判定された場合、ＣＰＵ２２は、ステップＳ５０において、ＤＩＳ信号のＦＩＦのＸビットが１であるか否かを判定する。ここで、ＤＩＳ信号のＦＩＦのＸビットが１である場合、ＣＰＵ２２は、ステップＳ５２において、残りの前手順を実行する。ここでは、ＤＣＳ信号のＦＩＦのＸビットが１にされる。次いで、ＣＰＵ２２は、ステップＳ５４において、原稿情報をカラーで読み取り、その読み取り情報を色空間ｓＹＣＣでＪＰＥＧ符号化してダイレクト送信する。ここで、ＪＰＥＧヘッダのＹパラメータには０がセットされ、ＤＮＬマーカが使用されてライン数が通知される。そして、ＣＰＵ２２は、ステップＳ５６において、後手順を実行し、そして、処理をステップＳ６に戻す。
【００４３】
上記ステップＳ５０においてＤＩＳ信号のＦＩＦのＸビットが１でないと判定された場合、ＣＰＵ２２は、ステップＳ５８において、残りの前手順を実行する。ここでは、ＤＣＳ信号のＦＩＦの６８，６９，Ｘビットがそれぞれ０にされる。次いで、ＣＰＵ２２は、ステップＳ６０において、原稿情報をモノクロ２値で読み取り、その読み取り情報をダイレクト送信し、続くステップＳ６２において、後手順を実行する。そして、ＣＰＵ２２は、処理をステップＳ６に戻す。
【００４４】
上記ステップＳ１２においてファイル情報の送信が選択されたと判定された場合、ＣＰＵ２２は、ステップＳ６４において、バス２６を介してＮＣＵ２のＣＭＬをオンし、続くステップＳ６６において、発呼回路１０を用いて指定された宛先へ発呼する。そして、ＣＰＵ２２は、ステップＳ６８において、前手順を実行する。次いで、ＣＰＵ２２は、ＤＩＳ信号のＦＩＦのＸビットが１であるか否かを判定する。ここで、ＤＩＳ信号のＦＩＦのＸビットが１でない場合、ＣＰＵ２２は、ステップＳ７２において、操作部２０の表示部に「ファイル情報の送信はできませんでした。」と表示する。ここで、この表示は、この表示後における何らかのキー操作で消去される。
【００４５】
これに対し、ＤＩＳ信号のＦＩＦのＸビットが１である場合、ＣＰＵ２２は、図１１に示すステップＳ７４において、残りの前手順を実行する。ここでは、ＤＣＳ信号のＦＩＦのＸビットが１にされる。次いで、ＣＰＵ２２は、ステップＳ７６において、コンパクトフラッシュ（登録商標）カード３０に格納されている色空間ｓＹＣＣのＪＰＥＧ符号化されたフルカラー情報をそのまま送信する。そして、ＣＰＵ２２は、ステップＳ７８において、後手順を実行し、そして、処理をステップＳ６に戻す。
【００４６】
このように、本実施の形態によれば、送信モードとして、カラーで読み取られた原稿情報を色空間ｓＹＣＣのＪＰＥＧ符号化された情報として送信するデジタルスチルカメラ互換通信が選択されているとき、設定された画素数および圧縮率を用いて上記読み取られた原稿を色空間ｓＹＣＣのＪＰＥＧ符号化された情報に変換して送信するので、カラーで読み取られた原稿情報を、デジタルスチルカメラなどで撮影された画像情報と同様の情報として処理することができる。
【００４７】
（第２の実施の形態）
次に、本発明の第２の実施の形態について図１２を参照しながら説明する。図１２は本発明の第２の実施の形態に係るファクシミリ装置のファクシミリ通信の手順を示すフローチャートである。本実施の形態は、上記第１の実施の形態と同じ構成を有し、その説明は省略する。
【００４８】
本実施の形態は、上記第１の実施の形態に対し、デジタルスチルカメラ互換送信が選択されているときに、選択された画素数と選択された読取モード（選択されたＪＰＥＧ圧縮率）に基づいて通信時間が長くなるか否かを判断し、その判断結果に応じて通信時間が長くなる旨のメッセージを操作部２０の表示部に表示する点で異なる。また、本実施の形態は、上記メッセージの表示後に、通信時間が長くなることを了承するための確認操作がユーザにより行われると、通信を実行する点で異なる。よって、本実施の形態においては、上述した第１の実施の形態と異なる点のみを説明することにする。
【００４９】
具体的には、図１２に示すように、図５のステップＳ１６の後、ＣＰＵ２２は、ステップＳ８２において、操作部２０からの入力情報に基づいて、選択されている画素数が４００万画素でかつ読取モードがファインまたはスーパーファインであるか否かを判定する。選択されている画素数が４００万画素でかつ読取モードがファインまたはスーパーファインでない場合、ＣＰＵ２２は、ステップＳ８４において、選択されている画素数が３００万画素でかつ読取モードがスーパーファインであるか否かを判定する。
【００５０】
上記ステップＳ８２において選択されている画素数が４００万画素でかつ読取モードがファインまたはスーパーファインであると判定された場合、または上記ステップＳ８４において選択されている画素数が３００万画素でかつ読取モードがスーパーファインであると判定された場合、ＣＰＵ２２は、ステップＳ８６において、「カラー原稿情報を送信すると通信時間が長くなりますがよいですか」と操作部２０の表示部に表示する。この表示は、表示後の何らかのキー操作で消去される。
【００５１】
次いで、ＣＰＵ２２は、ステップＳ８８において、所定時間（例えば１０秒）以内に上記メッセージに対する肯定応答に対応する操作入力があったか否かを判定する。ここで、上記所定時間内に肯定応答に対応する操作入力がない場合、ＣＰＵ２２は、処理を中断し、処理を図４に示すステップＳ６に戻す。これに対し、上記所定時間内に肯定応答に対応する操作入力がある場合、ＣＰＵ２２は、処理を図５に示すステップＳ１７へ進める。
【００５２】
（第３の実施の形態）
次に、本発明の第３の実施の形態について図１３および図１４を参照しながら説明する。図１３および図１４は本発明の第３の実施の形態に係るファクシミリ装置のファクシミリ通信の手順を示すフローチャートである。本実施の形態は、上記第１の実施の形態と同じ構成を有し、その説明は省略する。
【００５３】
本実施の形態は、上記第１の実施の形態に対し、読取モードに対応付けて、画素数とＪＰＥＧ圧縮率を登録する点で異なる。具体的には、読取モードとして、ウルトラファイン、スーパーファイン、ファイン、ノーマル、ラフの５つの読取モードが用意され、これらの読取モードに対応付けられて、以下に示すような画素数およびＪＰＥＧ圧縮率が登録される。すなわち、ウルトラファイン、スーパーファイン、ファイン、ノーマル、ラフの５つの読取モードの中から所望のモードが読取モード選択キーなどにより選択されると、選択された読取モードに対応付けて登録されている画素数およびＪＰＥＧ圧縮率が設定される。
【００５４】
読み取りモード          画素数            ＪＰＥＧ圧縮率
１）ウルトラファイン  ４００万画素    スーパーファインモード対応の圧縮率
２）スーパーファイン  ４００万画素    ファインモード対応の圧縮率
３）ファイン          ３００万画素    ファインモード対応の圧縮率
４）ノーマル          ２００万画素    ファインモード対応の圧縮率
５）ラフ              ２００万画素    標準モード対応の圧縮率
次に、本実施の形態におけるファクシミリ通信の手順について説明する。ここでは、上記第１の実施の形態と異なる点についてのみを説明することにする。
【００５５】
図１３に示すように、図４に示すステップＳ１０の後、ＣＰＵ２２は、ステップＳ１０２において、選択された読取モードに対応する画素数およびＪＰＥＧ圧縮率の登録が選択されたか否かを判定する。この登録が選択されない場合、ＣＰＵ２２は、処理を上記ステップＳ６に戻す。
【００５６】
これに対し、上記の登録が選択された場合、ＣＰＵ２２は、ステップＳ１０４において、選択された読取モードに対応する画素数およびＪＰＥＧ圧縮率を登録する。ここでは、上述した例のように、ウルトラファイン、スーパーファイン、ファイン、ノーマル、ラフの各読取モードに対して画素数およびＪＰＥＧ圧縮率が登録される。そして、ＣＰＵ２２は、処理を上記ステップＳ６に戻す。
【００５７】
このような登録が行われた後、デジタルスチルカメラ互換送信により送信を行う場合（ステップＳ１４のＹＥＳ）、図１４に示すように、ＣＰＵ２２は、ステップＳ１１０において、選択された読取モードを入力する。この際、選択された読取モードに対応付けられている画素数およびＪＰＥＧ圧縮率が入力される。そして、ＣＰＵ２２は、図５に示すステップＳ１７において、選択された読取モードに対応する画素数およびＪＰＥＧ圧縮率を用いて処理を行う。
【００５８】
本実施の形態に対し、上記第２の実施の形態の処理を付加するようにしてもよい。これにより、デジタルスチルカメラ互換送信が選択されているときに、選択された読取モードに対応付けられている画素数とＪＰＥＧ圧縮率に基づいて通信時間が長くなる旨のメッセージを操作部２０の表示部に表示し、このメッセージの表示後に、通信時間が長くなることを了承するための確認操作がユーザにより行われると、通信を実行することが可能になる。
【００５９】
なお、本発明の目的は、前述した実施の形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることはいうまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることはいうまでもない。
【００６０】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることはいうまでもない。
【図面の簡単な説明】
【００６１】
【図１】本発明の第１の実施の形態に係るファクシミリ装置の構成を示すブロック図である。
【図２】図１のファクシミリ装置の操作部２０の外観構成を模式的に示す図である。
【図３】図１のファクシミリ装置のカラー画像通信手順に用いられる主要信号を示すテーブルである。
【図４】図１のファクシミリ装置のファクシミリ通信の手順を示すフローチャートである。
【図５】図１のファクシミリ装置のファクシミリ通信の手順を示すフローチャートである。
【図６】図１のファクシミリ装置のファクシミリ通信の手順を示すフローチャートである。
【図７】図１のファクシミリ装置のファクシミリ通信の手順を示すフローチャートである。
【図８】図１のファクシミリ装置のファクシミリ通信の手順を示すフローチャートである。
【図９】図１のファクシミリ装置のファクシミリ通信の手順を示すフローチャートである。
【図１０】図１のファクシミリ装置のファクシミリ通信の手順を示すフローチャートである。
【図１１】図１のファクシミリ装置のファクシミリ通信の手順を示すフローチャートである。
【図１２】本発明の第２の実施の形態に係るファクシミリ装置のファクシミリ通信の手順を示すフローチャートである。
【図１３】本発明の第３の実施の形態に係るファクシミリ装置のファクシミリ通信の手順を示すフローチャートである。
【図１４】本発明の第３の実施の形態に係るファクシミリ装置のファクシミリ通信の手順を示すフローチャートである。
【図１５】従来のカラーファクシミリ通信方式を用いたシステム構成を示すブロック図である。
【符号の説明】
【００６２】
２  ＮＣＵ
６  ハイブリッド回路
８  変復調器
１０  発呼回路
１２  加算回路
１４  読取回路
１６  記録回路
１８  メモリ（ＲＡＭ）
２０  操作部
２２  ＣＰＵ
２４  ＲＯＭ
２６  バス
２８  カードインターフェース
３０  コンパクトフラッシュ（登録商標）カード
【図１】
2005198175.tif 000003
【図２】
2005198175.tif 000004
【図３】
2005198175.tif 000005
【図４】
2005198175.tif 000006
【図５】
2005198175.tif 000007
【図６】
2005198175.tif 000008
【図７】
2005198175.tif 000009
【図８】
2005198175.tif 000010
【図９】
2005198175.tif 000011
【図１０】
2005198175.tif 000012
【図１１】
2005198175.tif 000013
【図１２】
2005198175.tif 000014
【図１３】
2005198175.tif 000015
【図１４】
2005198175.tif 000016
【図１５】
2005198175.tif 000017